(57)【要約】      （修正有）【課題】投球ポイントに的を絞って投球出来、かつ、耐久性に優れた野球用及びソフトボール用ミットを提供する。【解決手段】野球やソフトボールの投手が一瞬の投球動作の中で容易に視認出来、的に向かって投球できるよう野球用及びソフトボール用ミット１の捕球面７のほぼ全面に、白系などの色を配した六角形などの形状からなる外枠１０を形成する。このほぼ中央に赤系などの色や蛍光色などを配したボールとほぼ同じ大きさの円などの形状からなる投球ポイント８を設ける。さらに、これらをウレタン系などの皮革用特殊インキや皮革用特殊箔などを用い、皮革印刷やホットスタンピングなどの特殊印刷などで形成し、耐久性に優れた野球用及びソフトボール用ミット１を形成する。【選択図】図１
0003172179.tif 000002
【実用新案登録請求の範囲】
【請求項１】
野球用及びソフトボール用ミットの捕球面のほぼ全面に、白系などの色を配した六角形などの形状からなる外枠を形成し、このほぼ中央に赤系などの色又は蛍光色などを配したボールとほぼ同じ大きさの円などの形状からなる投球ポイントを有し、投手が一瞬の投球動作の中でこの投球ポイントを容易に視認出来、的に向かって投球出来る特徴を有する野球用及びソフトボール用ミット
【請求項２】
耐久性に優れ実用に供するためにウレタン系などの皮革用特殊インキや皮革用特殊箔などを用い、皮革印刷やホットスタンピングなどの特殊印刷などで形成されてなる前記投球ポイント及び外枠などを有する請求項1の野球用及びソフトボール用ミット
【考案の詳細な説明】
【技術分野】
【０００１】
本考案は、野球の捕手や一塁手などが使用する野球用ミット及びソフトボールの捕手や一塁手などがが使用するソフトボール用ミットに関するものである。
【背景技術】
【０００２】
野球やソフトボールなどの投手にとって、捕手がミットを構えたところに如何にしてボールを投げるかで勝負がきまる。このために捕手は、ミットの親指部を地面側にして、捕球面をしっかり開いて、芯をしっかりと投手の正面に向けて構える。投手はこの捕手の構えたミットの捕球面の芯に向かって投球する。ここで言う芯とは捕手の要求する投球ポイントである。従来の野球用及びソフトボール用ミットは、その形状、製法等改善がなされ捕球などの面に於いては実用上十分であった。
【０００３】
しかし投手にとって、捕手が捕球面をしっかり開いて構えた従来の野球用及びソフトボール用ミットは、捕球面が凹面形状で一枚の皮革で出来ていてどこが芯か定めにくく、又打者にサインを盗まれないようにするために捕手が芯を投手に向けて構えるのは一瞬で、この一瞬の投球動作の中でどこが捕手の要求しているミットの捕球面の芯か認識することが難しいなどの問題があった。
又、捕球面が凹面形状のため影になり周囲が光っているため捕球面全体を認識することは容易であるが、この場合捕球面の大きさは、野球用ボールを約4個程度並べることが出来る。従って投手が、捕手の要求しているミットの捕球面の芯をはずした場合投球が、左右（内角・外角）、上下（高め・低め）に僅かに外れることになる。
このように従来の野球用及びソフトボール用ミットは、投手が一瞬の投球動作の中で捕手の構えたミットの捕球面の芯に正確に投球するためのポイントを定めにくく、的を絞って投球することが出来ない欠点があった。
同じことが野球の一塁手のミットやソフトボールの一塁手のミットについても言える。
【先行技術文献】
【特許文献】
【０００４】
【特許文献１】特開2002-200211号公報
【非特許文献】
【０００５】
【非特許文献１】公認野球規則（編集  日本プロフェッショナル等）
【考案の概要】
【考案が解決しようとする課題】
【０００６】
野球やソフトボールの投手が、一瞬の投球動作の中で捕手の構えた野球用及びソフトボール用ミットの捕球面の芯に正確に投球するための投球ポイントを定め、この投球ポイントに的を絞って投球出来る耐久性に優れ実用に供する野球用及びソフトボール用ミットを提供する。
【課題を解決するための手段】
【０００７】
本考案は、野球やソフトボールの投手が一瞬の投球動作の中で容易に視認出来、的に向かって投球できるよう野球用及びソフトボール用ミットの捕球面のほぼ全面に、白系などの色を配した六角形などの形状からなる外枠を形成し、このほぼ中央に赤系などの色や蛍光色などを配したボールとほぼ同じ大きさの円などの形状からなる投球ポイントを有し、これらをウレタン系などの皮革用特殊インキや皮革用特殊箔などを用い、皮革印刷やホットスタンピングなどの特殊印刷などで形成してなる耐久性に優れ実用に供する野球用及びソフトボール用ミットである。
【考案の効果】
【０００８】
本考案の野球用及びソフトボール用ミットは、その捕球面に野球やソフトボールの投手が一瞬の投球動作の中で容易に視認出来る赤系などの色や蛍光色などを配したボールとほぼ同じ大きさの円などの形状からなる投球ポイントを有し、この投球ポイントをさらに視認し易くするために捕球面のほぼ全面に、白系などの色を配した六角形などの形状からなる外枠を形成してなるため、投手が一瞬の投球動作の中で捕手の構えた投球ポイントを容易に認識出来、的を絞って投球出来、さらにこれらをウレタン系などの皮革用特殊インキや皮革用特殊箔などを用い、皮革印刷やホットスタンピングなどの特殊印刷などで形成してなるため耐衝撃性、耐摩耗性及び耐水性などの耐久性に優れ実用に供するなどの利点がある。
【図面の簡単な説明】
【０００９】
【図１】図1は、本考案の１実施例で野球の捕手用ミットの実施方法を示した説明図で、捕球面側を示した図である。
【図２】図2は、本考案の１実施例で野球の捕手用ミットの実施方法を示した説明図で、背面側を示した図である。
【考案を実施するための形態】
【００１０】
本考案の野球用及びソフトボール用ミットは、野球やソフトボールの投手が一瞬の投球動作の中で容易に視認出来る捕球面に形成された投球ポイントを有し、この投球ポイントは耐衝撃性、耐摩耗性及び耐水性などを施してなるため、この投球ポイントに的を絞って投球出来るという目的を実用的に実現した。
【実施例】
【００１１】
野球用及びソフトボール用ミットには、野球の捕手用、一塁手用ミット及びソフトボールの捕手用、一塁手用ミットなどがあり、図1は、本考案の１実施例で野球の捕手用ミットの実施方法を示した説明図で、捕球面側を示した図である。図２は同じく背面側を示した図である。ここではこの野球の捕手用ミットの実施方法について主に説明する。図について説明すると野球の捕手用ミット1は、親指挿入部2、人差し指挿入部3、ウエブ部4、小指挿入部5、ヒール部6及び捕球面7などから構成され、ヒール部6側から掌を入れて使用する。
【００１２】
野球の捕手用ミット1の捕球面側は、捕球面7を中心に親指挿入部2、小指挿入部5及びヒール部6共に一枚の皮革シートで捕球面7が凹状になるように形成されている。この捕球面7のほぼ中心に野球用ボールとほぼ同じ大きさの円などの形状からなる投球ポイント8を形成し、この周りを投球ポイント８とは色の違う二重円9で囲み、さらに捕球面7のほぼ全面に投球ポイント8と中心を同じくする色の違う六角形などの形状からなる外枠10で形成してある。
【００１３】
上記投球ポイント8は、野球の投手が一瞬の投球動作の中で視認し易いよう野球用ボールとほぼ同じ大きさで円などの形状からなり、赤系などの色で形成されている。投球ポイント8に赤系などの色を用いているのは、視認し易いようにすると同時に白系の野球用ボールとの誤認を避けるためでもある。この投球ポイント8は、野球用ミット1の凹面の暗い中に形成されるため、普通の色より蛍光色の方がより視認性が良くより効果的である。二重円9は、この投球ポイント8をさらに視認し易くするために、投球ポイント8と色の違う黄系や黒系などの色を用い形成されている。さらに外枠10は、白系などの色を用いて形成され投球ポイント8の下地として投球ポイント8の視認性や発色を良くし、凹面の暗い中で捕球面全体の視認性をも良くしている。二重円9は、従来の野球用ミットに形成されているロゴマークなどをこの範囲に入れることは可能である。
【００１４】
上記外枠10は六角形などの形状で形成され、野球の捕手が野球の捕手用ミット1の親指挿入部2を地面に平行に構えたとき、野球の投手にとって上下（高め・低め）、左右（内角・外角）の感覚が分かるように親指挿入部2と直角に六角形などの頂点が来るように形成してある。
【００１５】
野球の捕手用ミットの捕球面7に形成された投球ポイント8、二重円9及び外枠10は、大きな衝撃を受けるため耐衝撃性を要求され、さらに屋外で使用するため耐摩耗性、耐水性などが要求される。このため皮革塗装、皮革印刷及びホットスタンピングなどの特殊印刷などのいずれかを用いて実用に供する工夫が施され形成される。
これらの工法は、プロ野球などの硬式のボールを使用する場合は耐久性がより優れたホットスタンピングなどの特殊印刷、軟式のボール用は皮革印刷、少年野球用は皮革塗装と用途によって選択することも可能である。
【００１６】
耐久性がより優れたホットスタンピングなどの特殊印刷の実施例について説明すると、野球の捕手用ミット1の捕球面7用として皮革材料から裁断された皮革シートに、まず下地加工を施し皮革との密着性を良くし、前記投球ポイント8、二重円9及び外枠10などの絵柄からなる熱転写箔を凸版で熱や圧力を加えて特殊印刷を施した後、クリアー系特殊インキで保護し、さらに仕上げに耐久性硬化剤のコーティングなどを施して形成される。熱転写箔は最近では色々な素材に対応した箔が開発されているが、耐久性に優れたウレタン系などの皮革用特殊箔が好ましく蛍光色にする場合は、皮革用蛍光特殊箔が使用される。ホットスタンピングは、箔押しとも称するが同じ工法である。又皮革製品にロゴマークなどを入れる刻印や捺印もほぼ同じ工法と言える。
【００１７】
皮革印刷を用いる場合について説明すると、野球の捕手用ミット1の捕球面7用として皮革材料から裁断されたシートに、まず下地加工を施し皮革との密着性を良くし、ウレタン系などの皮革用特殊インキを使用した投球ポイント8、二重円9及び外枠10などの印刷を施した後クリアー系特殊インキで保護し、さらに仕上げに耐久性硬化剤のコーティングなどを施して形成される。蛍光色にする場合は、皮革用蛍光特殊インキが使用される。
【００１８】
皮革用塗装を用いる場合について説明すると、野球の捕手用ミット1の捕球面7用として皮革材料から裁断されたシートに、まず下地加工を施し皮革との密着性を良くし、ウレタン系などの皮革用特殊塗料を使用した投球ポイント8、二重円9及び外枠10などの塗装を施した後クリアー系特殊塗料で保護し、さらに仕上げに耐久性硬化剤のコーティングなどを施して形成される。蛍光色にする場合は、皮革用蛍光特殊塗料が使用される。
【００１９】
皮革塗装、皮革印刷及びホットスタンピングなどの特殊印刷は、近年目覚ましい改善がなされ実用に供することが出来るようになった。これらのいずれかの工法で投球ポイント8、二重円9及び外枠10などを形成してなる野球の捕手用ミット1の捕球面7用のシートは、他のパーツと縫製を行い、紐通し、仕上げ、検品などの工程を経て、投球ポイント8を有する野球の捕手用ミット1として完成する。
【００２０】
上記実施例は、本考案の１実施例で、野球の捕手用ミットについて説明したが、野球では一塁手用ミットが使用されている。野手から一塁手へボールを投げる時でも一塁手が要求する投球ポイントへ正確に投げる必要があり、野球の一塁手用ミットの捕球面に投球ポイントを有するようにすることは利用価値があり適用可能である。さらにソフトボールなどのソフトボール用ミットについても適用可能である。
【産業上の利用可能性】
【００２１】
捕球面に形成された投球ポイントを有することによって、投手が一瞬の投球動作の中で捕手が構えたミットの投球ポイントに的を絞って投球できるため、野球の捕手用ミットだけでなく、野球の一塁手用ミット及びソフトボール用ミットなどに適用出来、必要に応じて野球用グローブやソフトボール用グローブにも適用できる。
【符号の説明】
【００２２】
1    本考案の野球の捕手用ミット
2    親指挿入部
3    人差し指挿入部
4    ウエブ部
5    小指挿入部
6    ヒール部
7    捕球面
8    投球ポイント
9    二重円
10   外枠
【図１】
0003172179.tif 000003
【図２】
0003172179.tif 000004